(57)【要約】【課題】光源からの光が接触部材に照射されることに起因する影が、表示部上で視認されるのを抑制することが可能な表示装置を提供する。【解決手段】この表示装置１００は、表示部１と、点光源２と、拡散板１１と、点光源２から入光した光を集光する凸レンズ部１４を含み拡散板１１に接触するパネルポスト１３とを備え、パネルポスト１３は、凸レンズ部１４の焦点Ｆが、パネルポスト１３と拡散板１１との間に位置するように構成されている。【選択図】図５
2017083532.tif 000002
【特許請求の範囲】
【請求項１】
表示部と、
前記表示部の第１面側に配置される光源と、
前記表示部と前記光源との間に配置される光学部材と、
前記光源から入光した光を集光する凸レンズ形状を有する部分を含み、前記光学部材に接触する接触部材とを備え、
前記接触部材は、前記光源からの光が前記凸レンズ形状の部分により最も集光される点が、前記接触部材と前記光学部材との間に位置するように構成されている、表示装置。
【請求項２】
前記接触部材は、前記光源からの光が前記凸レンズ形状の部分により最も集光される点が、前記接触部材と前記光学部材との間に位置するような曲率半径を有するように構成されている、請求項１に記載の表示装置。
【請求項３】
前記接触部材の前記光学部材から第１の距離を隔てた部分の前記曲率半径は、前記接触部材の前記光学部材から前記第１の距離よりも小さい第２の距離を隔てた部分の前記曲率半径よりも大きい、請求項２に記載の表示装置。
【請求項４】
前記接触部材は、前記光源からの光が前記凸レンズ形状の部分により最も集光される点が、前記接触部材と前記光学部材との中間よりも前記接触部材側に位置するように構成されている、請求項１〜３のいずれか１項に記載の表示装置。
【請求項５】
前記光源は、複数の点光源を含み、
前記接触部材は、前記複数の点光源のうちの最も前記接触部材の近くに配置されている前記点光源である最近接点光源に、前記凸レンズ形状の部分の表面が対向するように配置されている、請求項１〜４のいずれか１項に記載の表示装置。
【請求項６】
前記凸レンズ形状の部分は、前記最近接点光源から出射される光が所定強度以上となる前記接触部材の領域に設けられている、請求項５に記載の表示装置。
【請求項７】
前記接触部材は、前記接触部材の前記光学部材との接触部分に設けられ、前記接触部材と接触する前記光学部材の面に対して略垂直方向に延びる円柱形状を有する頂部を含む、請求項１〜６のいずれか１項に記載の表示装置。
【請求項８】
前記頂部の表面には、前記光源からの光を拡散する拡散部が設けられている、請求項７に記載の表示装置。
【発明の詳細な説明】
【技術分野】
【０００１】
この発明は、表示装置に関し、特に、光学部材に接触する接触部材を備えた表示装置に関する。
【背景技術】
【０００２】
従来、光学部材に接触する接触部材を備えた表示装置が知られている（たとえば、特許文献１参照）。
【０００３】
上記特許文献１には、バックライト用の支持部材を備えた表示装置が開示されている。この表示装置は、光源と、光拡散板と、光拡散板に接触する支持部材とを備える。支持部材は、透明材質により形成されているとともに、平板状に形成されている。これにより、この上記特許文献１の表示装置は、光源から支持部材に照射された光が支持部材を透過するように構成されている。
【先行技術文献】
【特許文献】
【０００４】
【特許文献１】特開２０１３―１６１７９３号公報
【発明の概要】
【発明が解決しようとする課題】
【０００５】
しかしながら、上記特許文献１の表示装置では、支持部材は、平板状に形成されているため、支持部材の内部に入射した光の一部は、平板状の支持部材の側端面の内側の面で反射されると考えられる。このため、光学部材（光拡散板）上では、光が支持部材（接触部材）の側端面の内側の面で反射されることに起因して光量が小さくなる部分が生じる。すなわち、光学部材上で、影が生じる場合がある。これにより、表示部上で影が視認される場合があるという問題点があると考えられる。
【０００６】
この発明は、上記のような課題を解決するためになされたものであり、この発明の１つの目的は、光源からの光が接触部材に照射されることに起因する影が、表示部上で視認されるのを抑制することが可能な表示装置を提供することである。
【課題を解決するための手段】
【０００７】
上記目的を達成するために、この発明の一の局面による表示装置は、表示部と、表示部の第１面側に配置される光源と、表示部と光源との間に配置される光学部材と、光源から入光した光を集光する凸レンズ形状を有する部分を含み、光学部材に接触する接触部材とを備え、接触部材は、光源からの光が凸レンズ形状の部分により最も集光される点が、接触部材と前記光学部材との間に位置するように構成されている。なお、光学部材とは、偏光フィルムなどの光学部材および光学シートに限らず、拡散板などを含む、より広い概念の光学部材を表す。
【０００８】
この発明の一の局面による表示装置では、上記のように、接触部材に、光源から入光した光を集光する凸レンズ形状を有する部分を設けるとともに、接触部材を、光源からの光が凸レンズ形状の部分により最も集光される点が、接触部材と光学部材との間に位置するように構成することにより、接触部材の凸レンズ形状を有する部分により集光された光が、最も集光される点を通過後、広がるように光学部材に照射される。これにより、光源からの光が接触部材に照射されることに起因して影が生じる光学部材の部分にも光を照射することができる。その結果、光源からの光が接触部材に照射されることに起因する影が、表示部上で視認されるのを抑制することができる。
【０００９】
上記一の局面による表示装置では、好ましくは、接触部材は、光源からの光が凸レンズ形状の部分により最も集光される点が、接触部材と光学部材との間に位置するような曲率半径を有するように構成されている。このように構成すれば、接触部材の凸レンズ形状を有する部分により集光された光が、最も集光される点を通過後、広がるように光学部材に照射されるように、容易に接触部材を構成することができる。
【００１０】
この場合、好ましくは、接触部材の光学部材から第１の距離を隔てた部分の曲率半径は、接触部材の光学部材から第１の距離よりも小さい第２の距離を隔てた部分の曲率半径よりも大きい。ここで、接触部材に入光して接触部材から出射した光が、接触部材から光学部材まで到達する距離は、接触部材の光学部材側では、小さくなる一方、接触部材の光学部材とは反対側では大きくなる。この点に着目して、本発明では、接触部材の光学部材から第１の距離を隔てた部分の曲率半径を、接触部材の光学部材から第１の距離よりも小さい第２の距離を隔てた部分の曲率半径よりも大きくすることによって、接触部材を、接触部材と光学部材との間の距離に対応させて、光源からの光が凸レンズ形状の部分により最も集光される点が接触部材と光学部材との間に適切に位置するように構成することができる。
【００１１】
上記一の局面による表示装置では、好ましくは、接触部材は、光源からの光が凸レンズ形状の部分により最も集光される点が、接触部材と光学部材との中間よりも接触部材側に位置するように構成されている。このように構成すれば、接触部材に入光した光を、凸レンズ形状の部分の幅よりも大きな幅で、光学部材に照射することができる。これにより、光源から広がるように照射された光が、接触部材および光学部材に照射される場合にも、光源からの光が接触部材に照射されることに起因する影が生じる部分に、より確実に光を照射することができる。
【００１２】
上記一の局面による表示装置では、好ましくは、光源は、複数の点光源を含み、接触部材は、複数の点光源のうちの最も接触部材の近くに配置されている点光源である最近接点光源に、凸レンズ形状の部分の表面が対向するように配置されている。ここで、複数の点光源がある場合には、複数の点光源のうちの最近接点光源からの光が接触部材に照射されることに起因する影が最も視認されやすい。この点を考慮して、本発明では、最近接点光源に、凸レンズ形状の部分の表面が対向するように、接触部材を配置することにより、最近接点光源からの光が接触部材に照射されることに起因する影が生じる光学部材上の部分に光を照射することができる。その結果、光源からの光が接触部材に照射されることに起因する影が、表示部上で視認されるのをより抑制することができる。
【００１３】
この場合、好ましくは、凸レンズ形状の部分は、最近接点光源から出射される光が所定強度以上となる接触部材の領域に設けられている。このように構成すれば、接触部材の部分のうちの照射される光の強度が比較的大きくなる領域を、凸レンズ形状に構成することができるので、より効果的に、光源からの光が接触部材に照射されることに起因する影が、表示部上で視認されるのを抑制することができる。
【００１４】
上記一の局面による表示装置では、好ましくは、接触部材は、接触部材の光学部材との接触部分に設けられ、接触部材と接触する光学部材の面に対して略垂直方向に延びる円柱形状を有する頂部を含む。ここで、接触部材の光学部材との接触部分近傍の光学部材上では、比較的影が生じやすい。この点に対して、本発明では、接触部材の光学部材との接触部分に、円柱形状を有する頂部を設けるので、頂部を設ける分、接触部材の凸レンズ形状の部分と光学部材との距離が大きくなり、光源からの光が接触部材の凸レンズ形状の部分に照射されることに起因する影が生じるのを抑制することができる。
【００１５】
この場合、好ましくは、頂部の表面には、光源からの光を拡散する拡散部が設けられている。このように構成すれば、接触部材の頂部近傍で、光源からの光を拡散することができるので、接触部材の頂部近傍の光学部材上および表示部上で生じる影が生じるのを抑制することができる。
【発明の効果】
【００１６】
本発明によれば、上記のように、光源からの光が接触部材に照射されることに起因する影が、表示部上で視認されるのを抑制することができる。
【図面の簡単な説明】
【００１７】
【図１】本発明の第１実施形態による液晶テレビジョン装置の全体構成を示した斜視図である。
【図２】本発明の第１実施形態による液晶テレビジョン装置の全体を、矢印Ｙ２方向側から見た図である。
【図３】本発明の第１実施形態による液晶テレビジョン装置の分解斜視図である。
【図４】本発明の第１実施形態による反射シートを矢印Ｙ１方向側から見た図である。
【図５】本発明の第１実施形態によるパネルポストの斜視図である。
【図６】本発明の第１実施形態によるパネルポストを矢印Ｚ２方向側から見た図である。
【図７】本発明の第１実施形態による液晶テレビジョン装置の構成を示した断面図である。
【図８】本発明の第１実施形態によるパネルポストの凸レンズ部を矢印Ｙ１方向側から見た図である。
【図９】本発明の第１実施形態による凸レンズ部に照射される光の経路を説明するための図である。
【図１０】比較例による表示装置の光の経路に関するシミュレーション結果を示す図である。
【図１１】本発明の第１実施形態による液晶テレビジョン装置の光の経路に関するシミュレーション結果を示す図（１）である。
【図１２】本発明の第１実施形態による液晶テレビジョン装置の光の経路に関するシミュレーション結果を示す図（２）である。
【図１３】本発明の第１実施形態による液晶テレビジョン装置の光の経路に関するシミュレーション結果を示す図（３）である。
【図１４】本発明の第１実施形態による液晶テレビジョン装置の光の経路に関するシミュレーション結果を示す図（４）である。
【図１５】本発明の第２実施形態による液晶テレビジョン装置のパネルポストの斜視図である。
【図１６】本発明の第３実施形態による液晶テレビジョン装置のパネルポストの斜視図である。
【発明を実施するための形態】
【００１８】
以下、本発明の実施形態を図面に基づいて説明する。
【００１９】
［第１実施形態］
（表示装置の構成）
図１〜図９を参照して、本発明の第１実施形態による液晶テレビジョン装置１００の構成について説明する。なお、液晶テレビジョン装置１００は、本発明の「表示装置」の一例である。
【００２０】
〈表示装置の全体構成〉
本発明の第１実施形態による液晶テレビジョン装置１００には、図１に示すように、表示部１が設けられている。表示部１は、液晶セルからなり映像が表示可能に構成されている。なお、以下の説明において、液晶テレビジョン装置１００の表示部１に対向する位置から見て、左方向を矢印Ｘ１方向、右方向を矢印Ｘ２方向、正面方向（手前方向）を矢印Ｙ１方向、背面方向を矢印Ｙ２方向、上方向を矢印Ｚ１方向、下方向を矢印Ｚ２方向として説明する。なお、表示部１の矢印Ｙ２方向側の面１ａ（背面）（図３参照）は、本発明の「第１面」の一例である。
【００２１】
そして、液晶テレビジョン装置１００は、矢印Ｙ２方向側に設けられた点光源２（図３参照）をバックライトとして表示部１に映像を表示する直下型液晶モジュールとしても構成可能である。なお、点光源２は、本発明の「光源」の一例である。
【００２２】
図１および図２に示すように、液晶テレビジョン装置１００には、前部筐体３とスタンド部材４とリアフレーム５とカバー部材６とが設けられている。
【００２３】
前部筐体３は、たとえば、樹脂により形成されている。そして、前部筐体３は、表示部１を矢印Ｙ１方向側から支持するように構成されている。また、前部筐体３の中央部には、表示部１を矢印Ｙ１方向側に露出させるための矩形状の開口部３ａが設けられている。
【００２４】
スタンド部材４は、樹脂により形成されている。そして、スタンド部材４は、液晶テレビジョン装置１００全体を矢印Ｚ２方向側から支持するように構成されている。
【００２５】
リアフレーム５は、たとえば、金属により形成されており、矢印Ｙ２方向に窪む凹形状に形成されている。そして、リアフレーム５は、前部筐体３と矢印Ｙ２方向側から組み合わされるように構成されている。そして、リアフレーム５は、前部筐体３に固定されている。また、図３に示すように、リアフレーム５には、パネルポスト１３を取り付けるための２つの第１開口部５ａと２つの第２開口部５ｂとが設けられている。
【００２６】
カバー部材６は、たとえば、樹脂により形成されており、図２に示すように、リアフレーム５よりも小さい大きさにより形成されている。そして、カバー部材６は、リアフレーム５の矢印Ｙ２方向側に配置されている。また、カバー部材６は、リアフレーム５の矢印Ｙ２方向側の面（背面）に配置される電源基板や信号処理基板などの種々の基板（図示せず）を覆うように設けられている。また、カバー部材６は、リアフレーム５に固定されている。
【００２７】
図３に示すように、液晶テレビジョン装置１００は、点光源２と、ヒートシンク７と、基板８と、光源レンズ９と、反射シート１０と、拡散板１１と、偏光フィルタ１２と、パネルポスト１３とを含む。なお、光源レンズ９は、本発明の「光源」の一例である。また、拡散板１１および偏光フィルタ１２は、本発明の「光学部材」の一例である。また、パネルポスト１３は、本発明の「接触部材」の一例である。
【００２８】
点光源２は、たとえば、ＬＥＤ（Ｌｉｇｈｔ  Ｅｍｉｔｔｉｎｇ  Ｄｉｏｄｅ）により構成されている。点光源２は、表示部１側（矢印Ｙ１方向側）に光を照射するように構成されている。
【００２９】
ヒートシンク７は、たとえば、金属（板金）により構成されており、拡散板１１側（矢印Ｙ１方向側）に凸部を有するように形成されている。そして、ヒートシンク７は、たとえば、２つ設けられており、リアフレーム５の矢印Ｙ１方向側に、Ｚ方向に間隔を隔てて並列して配置されている。
【００３０】
基板８は、２つ設けられており、それぞれヒートシンク７の表面に配置されている。そして、基板８の表面には、それぞれ、点光源２が８個ずつ基板８の延びる方向（Ｘ方向）に沿って、互いに間隔を隔てて実装されている。
【００３１】
光源レンズ９は、基板８に配置されている点光源２を矢印Ｙ１方向側から覆うように点光源２に対してそれぞれ配置されている。そして、光源レンズ９は、アクリルなどの樹脂により構成されており、点光源２からの出射光を所定の配光角を有する状態で出射するように構成されている。また、光源レンズ９は、基板８の表面に接着されることにより、基板８に固定されている。なお、本願明細書では、配光角とは、点光源２から照射される光の強度が最も大きくなる角度を中心として、最も大きい光の強度の１／２の光の強度となる角度までの角度範囲を意味するものとして記載している。
【００３２】
反射シート１０は、リアフレーム５と拡散板１１との間に設けられており、点光源２からの光を反射するように構成されている。具体的には、反射シート１０は、たとえば、樹脂（好ましくは、ＰＥＴ（Ｐｏｌｙｅｔｈｙｌｅｎｅｔｅｒｅｐｈｔａｌａｔｅ））により形成されている。そして、反射シート１０は、基板８の表面上に配置された状態で、リアフレーム５に沿った形状（矢印Ｙ２方向側に窪む凹形状）を有するように構成されている。具体的には、反射シート１０は、Ｘ方向に延びる長方形形状を有する反射シート底面部１０ａと、反射シート底面部１０ａの４辺を取り囲むように配置される４つの反射シート斜面部１０ｂとを含む。
【００３３】
反射シート底面部１０ａは、拡散板１１および偏光フィルタ１２に対して平行に延びるように形成されている。また、反射シート斜面部１０ｂは、反射シート底面部１０ａの端部からリアフレーム５の縁部に向かって傾斜して延びるように形成されている。
【００３４】
また、図４に示すように、反射シート底面部１０ａには、１６個（８個×２列）の点光源２（光源レンズ９）の配置位置に対応する位置にそれぞれ光源用開口部１０ｃが設けられている。また、反射シート底面部１０ａには、２つのパネルポスト１３の配置位置に対応する位置にそれぞれパネルポスト用開口部１０ｄが２つ設けられている。
【００３５】
図３に示すように、拡散板１１は、たとえば、樹脂等により形成されており、Ｚ方向およびＸ方向に平行な平面に広がる平板状に形成されている。また、拡散板１１は、表示部１と点光源２との間に配置されており、点光源２からの光を拡散するように構成されている。
【００３６】
偏光フィルタ１２は、拡散板１１と同様の平板状を有し、Ｚ方向およびＸ方向に平行な平面に広がるように形成されている。そして、偏光フィルタ１２は、拡散板１１と表示部１との間に配置されており、拡散板１１を透過した光の偏光方向を揃えて表示部１へ出射するように構成されている。また、表示部１は、偏光フィルタ１２から出射された偏光方向を揃えられた光に対して、表示部１に含まれる液晶の透過率を変化させることなどにより、画像の表示が行われるように構成されている。
【００３７】
〈接触部材の構成〉
ここで、第１実施形態では、図５および図６に示すように、パネルポスト１３は、点光源２から入光した光を集光する凸レンズ形状を有する部分である凸レンズ部１４を含み、拡散板１１を矢印Ｙ２方向側から支持する支持部材として構成されている。そして、凸レンズ部１４の焦点Ｆ（図９参照）は、パネルポスト１３と拡散板１１の間に位置するように構成されている。なお、凸レンズ部１４は、本発明の「凸レンズ形状を有する部分」の一例である。また、焦点Ｆは、本発明の「光源からの光が凸レンズ形状の部分により最も集光される点」の一例である。そして、本願明細書では、「焦点」を、点状に集光された点のみならず、収差の大きい場合の線状や面状に集光された点を含む、広い概念を意味するものとして記載している。
【００３８】
パネルポスト１３は、点光源２からの光を透過する材料により形成されている。たとえば、パネルポスト１３は、透明な樹脂材料（たとえば、ＰＣ（ポリカーボネート））により形成されている。
【００３９】
また、パネルポスト１３は、リアフレーム５の点光源２と離間した位置において、リアフレーム５に取り付けられるように構成されている。具体的には、図６に示すように、パネルポスト１３は、係止部１５と、突起部１６とを含み、係止部１５は、リアフレーム５の第１開口部５ａに篏合して係止されるとともに、突起部１６は、リアフレーム５の第２開口部５ｂに篏合するように構成されている。係止部１５が第１開口部５ａに係止されることにより、パネルポスト１３が固定されるとともに、突起部１６が第２開口部５ｂに篏合することにより、パネルポスト１３が回転するのが抑制され、パネルポスト１３の設置方向が定まる。
【００４０】
また、図６に示すように、パネルポスト１３には、接触部１７と、基台部１８とが設けられている。なお、接触部１７は、本発明の「接触部分」の一例である。
【００４１】
接触部１７は、パネルポスト１３の拡散板１１側（矢印Ｙ１方向側）に設けられており、円弧状に形成されている。接触部１７は、図７に示すように、拡散板１１が矢印Ｙ２方向側に撓もうとする場合に、拡散板１１に点接触することにより拡散板１１を支持して、拡散板１１が矢印Ｙ２方向に撓むのを抑制するように構成されている。
【００４２】
基台部１８は、図５に示すように、パネルポスト１３の拡散板１１とは反対側（矢印Ｙ２方向側）に設けられており、矢印Ｙ１方向側から見て、角部が円弧状の長方形形状に形成されているとともに、平板状に形成されている。また、図６に示すように、係止部１５および突起部１６は、基台部１８の矢印Ｙ２方向側の表面から矢印Ｙ２方向側に突出するように設けられている。
【００４３】
また、凸レンズ部１４は、パネルポスト１３の接触部１７と基台部１８との間に設けられおり、矢印Ｚ１方向側および矢印Ｚ２方向側に凸状の上部レンズ部１９と下部レンズ部２０とを含む。上部レンズ部１９は、矢印Ｚ１方向側に凸状に膨らむ部分の表面である一方上部表面１９ａと、矢印Ｚ２方向側に凸状に膨らむ部分の表面である他方上部表面１９ｂとを含む。また、下部レンズ部２０は、矢印Ｚ１方向側に凸状に膨らむ部分の表面である一方下部表面２０ａと、矢印Ｚ２方向側に凸状に膨らむ部分の表面である他方下部表面２０ｂとを含む。なお、一方上部表面１９ａと他方上部表面１９ｂと一方下部表面２０ａと他方下部表面２０ｂとは、本発明の「凸レンズ形状の部分の表面」の一例である。
【００４４】
ここで、第１実施形態では、図７に示すように、パネルポスト１３は、複数の点光源２のうちの最もパネルポスト１３の近くに配置されている点光源２である最近接点光源２ａに凸レンズ部１４の一方上部表面１９ａおよび一方下部表面２０ａが対向するように配置されている。また、パネルポスト１３は、複数の点光源２のうちの最もパネルポスト１３の近くに配置されている点光源２である最近接点光源２ｂに凸レンズ部１４の他方上部表面１９ｂおよび他方下部表面２０ｂが対向するように配置されている。
【００４５】
また、第１実施形態では、図６および図８に示すように、パネルポスト１３の拡散板１１から距離ｄ１を隔てた部分の曲率半径ｒ１は、パネルポスト１３の拡散板１１から距離ｄ１よりも小さい距離ｄ２を隔てた部分の曲率半径ｒ２よりも大きい。すなわち、上部レンズ部１９は、拡散板１１とは反対側（矢印Ｙ２方向側）から拡散板１１（矢印Ｙ１方向側）に向かって、曲率半径が徐々に小さくなるように構成されている。なお、距離ｄ１は、本発明の「第１の距離」の一例である。また、距離ｄ２は、本発明の「第２の距離」の一例である。また、距離ｄ１〜ｄ３は、拡散板１１からＹ軸に沿った方向の距離として記載している。
【００４６】
具体的には、図８に示すように、上部レンズ部１９は、矢印Ｙ１方向側から見て、Ｚ方向の大きさである厚みｔ１、および、Ｘ方向の幅が幅Ｗ１〜幅Ｗ２に変化する凸レンズ形状を有するように形成されている。
【００４７】
そして、図６に示すように、拡散板１１から距離ｄ１隔てた位置に設けられ、上部レンズ部１９と上部レンズ部１９の矢印Ｙ２方向側の下部レンズ部２０との境界部分である境界部分Ａ１では、上部レンズ部１９（凸レンズ部１４）は、幅Ｗ１を有するとともに、曲率半径ｒ１を有するように形成されている。また、拡散板１１から距離ｄ１よりも小さい距離ｄ２隔てた位置に設けられ、上部レンズ部１９と上部レンズ部１９の矢印Ｙ１方向側の接触部１７との境界部分である境界部分Ａ２では、上部レンズ部１９（凸レンズ部１４）は、幅Ｗ１よりも小さい幅Ｗ２を有するとともに、曲率半径ｒ１よりも小さい曲率半径ｒ２を有するように形成されている。すなわち、幅Ｗ１＞幅Ｗ２、および、曲率半径ｒ１＞曲率半径ｒ２の関係を有する。また、厚みｔ１＜幅Ｗ１の関係を有する。
【００４８】
そして、上部レンズ部１９は、境界部分Ａ１から境界部分Ａ２に向かって、徐々に曲率半径が小さくなるように構成されている。すなわち、拡散板１１から距離ｄ３（距離ｄ２よりも大きく、距離ｄ１よりも小さい距離）隔てた位置に設けられ、上部レンズ部１９の境界部分Ａ１およびＡ２とは異なる部分である部分Ａ３の曲率半径ｒ３は、曲率半径ｒ１＞曲率半径ｒ３＞曲率半径ｒ２の関係を有する。なお、図８では、他方上部表面１９ｂの曲率半径（ｒ１、ｒ２およびｒ３）のみを図示しているが、一方上部表面１９ａの曲率半径も他方上部表面１９ｂと同様に形成されている。
【００４９】
また、図５に示すように、下部レンズ部２０は、幅Ｗ１および厚みｔ１を有し、上部レンズ部１９の境界部分Ａ１から矢印Ｙ２方向に延びるように形成されている。また、下部レンズ部２０は、下部レンズ部２０の矢印Ｙ２方向側の基台接続部２０ｃにおいて、基台部１８と接続するように構成されている。基台接続部２０ｃは、パネルポスト１３の内側方向に窪む円弧状を有し、矢印Ｙ１方向側から基台部１８側に向かって徐々に幅および厚みが大きくなるように、基台部１８の矢印Ｙ１方向側の面に滑らかに接続されている。
【００５０】
ここで、第１実施形態では、図９に示すように、凸レンズ部１４は、上部レンズ部１９および下部レンズ部２０の焦点Ｆが、パネルポスト１３と拡散板１１との間に位置するような曲率半径を有するように構成されている。さらに、第１実施形態では、凸レンズ部１４は、上部レンズ部１９および下部レンズ部２０の焦点Ｆが、パネルポスト１３と拡散板１１との中間の位置Ｃよりも、パネルポスト１３側に位置するような曲率半径を有するように構成されている。なお、「焦点」とは、一般的には、レンズに対して平行に入光する光が最も集光される点を示すが、本願明細書では、焦点Ｆを、平行な光のみならず、広がりながら（または集光されながら）、凸レンズ部１４に入光した光が最も集光される点として記載している。
【００５１】
具体的には、図７に示すように、最近接点光源２ａから矢印Ｂ１方向に出射された光は、パネルポスト１３の凸レンズ部１４に入光した後、焦点Ｆ１において集光される。そして、集光された光は、広がりながら凸レンズ部１４と拡散板１１との中間の位置Ｃ１を通過して、拡散板１１上の点Ｅに照射される。すなわち、凸レンズ部１４の焦点Ｆ１が中間の位置Ｃ１よりもパネルポスト１３側に位置する。また、凸レンズ部１４の最近接点光源２ａから矢印Ｂ２方向に出射された光に対する焦点である焦点Ｆ２も焦点Ｆ１と同様に、焦点Ｆ２が凸レンズ部１４と拡散板１１との中間の位置Ｃ２よりもパネルポスト１３側に位置する。また、焦点Ｆ３も焦点Ｆ１と同様に、焦点Ｆ３が凸レンズ部１４と拡散板１１との中間の位置Ｃ３よりもパネルポスト１３側に位置する。
【００５２】
詳細には、図９に示すように、最近接点光源２ａから矢印Ｂ方向に出射された光は、パネルポスト１３の凸レンズ部１４に入光した後、焦点Ｆにおいて集光される。集光された光は、広がりながら拡散板１１上の点Ｅ１から点Ｅ２の範囲に照射される。また、最近接点光源２ａから矢印Ｂ方向に出射された光のうち、パネルポスト１３の凸レンズ部１４に入光しない光は、拡散板１１上の点Ｅ１よりも矢印Ｘ１方向側および点Ｅ２よりも矢印Ｘ２方向側に到達する。すなわち、この場合、拡散板１１上では、光が部分的に照射されない領域がなく、影が生じない。なお、点Ｅ１から点Ｅ２までの幅Ｗｅは、凸レンズ部１４の幅である幅Ｗ１よりも大きい。
【００５３】
また、矢印Ｂ方向において、最近接点光源２ａと凸レンズ部１４との距離をａとし、最近接点光源２ａと拡散板１１との間の距離をｂとした場合、パネルポスト１３の凸レンズ部１４から焦点Ｆまでの距離である焦点距離ｙを、以下の式（１）を充たすように設定することにより、上記のように拡散板１１上で光が部分的に照射されずに影が生じる部分が発生するのを抑制することが可能である。
ｙ＝ａ（ｂ−ａ）／（ａ＋ｂ）  ・・・  （１）
【００５４】
すなわち、凸レンズ部１４は、焦点距離ｙが上記の式（１）を充たすような曲率半径となるように構成されている。なお、焦点距離ｙが上記の式（１）を充たす曲率半径は、凸レンズ部１４の屈折率（材料）に応じて異なり、所定の値には限られない。
【００５５】
さらに詳細には、最近接点光源２ａと凸レンズ部１４の端部とのＸ方向における距離をｄとし、最近接点光源２ａと点Ｅ２（または点Ｅ１）とのＸ方向における距離をｅとした場合、三角形の相似の関係から、以下の式（２）を導き出すことが可能であり、以下の式（３）に変形することが可能である。
ｄ：（ｅ＋ｄ）＝ｙ：（ｂ−ａ）  ・・・  （２）
ｙ（ｅ＋ｄ）＝ｄ（ｂ−ａ）  ・・・  （３）
【００５６】
また、図９に示す、Ｘ軸と、最近接点光源２ａと点Ｅ２とを結ぶ線分とがなす角度を角度θとすると、以下の式（４）および（５）を導き出すことが可能である。
ｅ＝ｂ／ｔａｎθ  ・・・  （４）
ｔａｎθ＝ａ／ｄ  ・・・  （５）
【００５７】
そして、式（３）〜（５）を用いて、θ、ｄ、および、ｅを消去することにより、上記の式（１）を導き出すことが可能である。
【００５８】
ここで、第１実施形態では、図７に示すように、凸レンズ部１４は、パネルポスト１３の部分のうちの最近接点光源２ａおよび２ｂの配光角φに対応する領域Ｒ１および領域Ｒ２を含むように設けられている。なお、本願明細書では、最近接点光源２ａおよび２ｂの配光角φとは、最近接点光源２ａおよび２ｂから出射した光が光源レンズ９に入光して、光源レンズ９から出射する光の配光角を意味するものとして記載している。また、最近接点光源２ａおよび２ｂとパネルポスト１３との間に光源レンズ９等を設けない場合には、最近接点光源２ａおよび２ｂから直接出射される光の角度に対応した配光角を配光角φとしてもよい。
【００５９】
たとえば、図７において、最近接点光源２ａから出射され光源レンズ９に入光した光が光源レンズ９から矢印Ｂ１方向（出射角度φ１）に出射する光の強度が、上記の光源レンズ９から出射する光のうちの他の方向に出射するいずれの光の強度よりも大きいとする。また、光源レンズ９から矢印Ｂ２方向（出射角度φ２）および矢印Ｂ３方向（出射角度φ３）に出射する光の強度が、上記の矢印Ｂ１方向に出射する光の強度の１／２となるとする。この場合、最近接点光源２ａの配光角φは、φ３以上でかつφ２以下（φ３≦φ≦φ２）となる。なお、最近接点光源２ａ（光源レンズ９）の配光角φ以外の方向に出射される光の強度は、比較的小さくなるので、最近接点光源２ａ（光源レンズ９）の配光角φ以外の方向に出射された光に起因する拡散板１１および表示部１上の影は、視認されにくい。すなわち、第１実施形態では、凸レンズ部１４は、パネルポスト１３の部分のうちの最近接点光源２ａおよび２ｂから出射される光が所定強度以上となるパネルポスト１３の領域に設けられている。なお、上記の矢印Ｂ１方向に出射する光の強度の１／２となる強度は、「所定強度」の一例である。
【００６０】
〈シミュレーションによる比較結果〉
次に、図１０〜図１４を参照して、第１実施形態による表示装置１００と比較例による表示装置とのシミュレーションによる比較結果を説明する。
【００６１】
図１０に示すように、比較例による表示装置として、拡散板に接触する接触部材を、平板状に形成されているパネルポストを含むように構成した。そして、矢印Ｂ２方向において、点光源から距離ａ２の位置にパネルポストを配置するとし、点光源と拡散板との間の距離を距離ｂ２として、点光源から照射される光の経路のシミュレーションを行った。
【００６２】
シミュレーションの結果、比較例による表示装置では、点光源から出射した光の一部が、パネルポストの内面で反射され、一部の光が反射されたことに起因する影が２箇所生じることが判明した。
【００６３】
そして、図１１に示すように、第１実施形態による表示装置１００において、パネルポスト１３と最近接点光源２ａとの距離が距離ａ２となり、最近接点光源２ａと拡散板１１との間の距離が距離ｂ２となる場合である、最近接点光源２ａから矢印Ｂ２方向に光が照射される場合の光の経路のシミュレーションを行った。
【００６４】
シミュレーションの結果、第１実施形態による表示装置１００では、最近接点光源２ａから出射した光の一部は、パネルポスト１３に入光した後、パネルポスト１３から焦点距離ｙ２の位置まで集光しながら進行した。また、光は、焦点距離ｙ２の位置から拡散板１１まで広がりながら進んだ。そして、この場合、拡散板１１上では、影は確認されないことが判明した。
【００６５】
なお、図１２に最近接点光源２ａから矢印Ｂ１方向に光が照射される場合の光の経路のシミュレーション結果を示すとともに、図１３に最近接点光源２ａから矢印Ｂ３方向に光が照射される場合の光の経路のシミュレーション結果を示す。図１２および図１３に示されるように、最近接点光源２ａから矢印Ｂ１方向および矢印Ｂ３方向のいずれの方向に光が照射された場合でも、拡散板１１上には、影が生じないことが判明した。
【００６６】
そして、図１４に示すように、第１実施形態による表示装置１００において、最近接点光源２ａ以外の光源２から拡散板１１側に光が照射される場合の光の経路のシミュレーションを行った。
【００６７】
シミュレーションの結果、第１実施形態による表示装置１００では、光源２から出射した光の一部は、パネルポスト１３に入光した後、パネルポスト１３から焦点Ｆまで集光しながら進行した。また、光は、焦点Ｆの位置から拡散板１１まで広がりながら進んだ。そして、この場合、拡散板１１上では、影が生じるものの、上記比較例による表示装置において生じた影（図１０参照）と比較して、薄いことが判明した。この結果について、第１実施形態による表示装置１００では、パネルポスト１３により光は、拡散板１１まで広がりながら進むので、上記比較例による表示装置のように、光が略照射されない部分が生じるのが抑制され、影が薄くなると考えられる。
【００６８】
［第１実施形態の効果］
第１実施形態では、以下のような効果を得ることができる。
【００６９】
第１実施形態では、上記のように、パネルポスト１３を、点光源２から入光した光を集光する凸レンズ部１４を含むとともに、凸レンズ部１４の焦点Ｆがパネルポスト１３と拡散板１１との間に位置するように構成することにより、凸レンズ部１４の焦点Ｆに集光された光が、焦点Ｆを通過後、広がるように拡散板１１に照射される。これにより、点光源２からの光がパネルポスト１３に照射されることに起因して影が生じる拡散板１１の部分にも光を照射することができる。その結果、点光源２からの光がパネルポスト１３に照射されることに起因する影が、表示部１上で視認されるのを抑制することができる。
【００７０】
また、第１実施形態では、上記のように、パネルポスト１３を、凸レンズ部１４の焦点Ｆが、パネルポスト１３と拡散板１１との間に位置するような曲率半径を有するように構成する。これにより、凸レンズ部１４の焦点Ｆに集光された光が、焦点Ｆを通過後、広がるように拡散板１１に照射されるように、容易にパネルポスト１３を構成することができる。
【００７１】
また、第１実施形態では、上記のように、パネルポスト１３の拡散板１１から距離ｄ１を隔てた部分の曲率半径ｒ１は、パネルポスト１３の拡散板１１から距離ｄ１よりも小さい距離ｄ２を隔てた部分の曲率半径ｒ２よりも大きい。パネルポスト１３を、拡散板１１とは反対側（矢印Ｙ２方向側）から拡散板１１側（矢印Ｙ１方向側）に向かって、曲率半径が徐々に小さくなるように構成する。ここで、パネルポスト１３に入光してパネルポスト１３から出射した光が、パネルポスト１３から拡散板１１まで到達する距離ｂは、パネルポスト１３の拡散板１１側（矢印Ｙ１方向側）では、小さくなる一方、パネルポスト１３の拡散板１１とは反対側（矢印Ｙ２方向側）では大きくなる。この点に着目して、パネルポスト１３の拡散板１１から距離ｄ１を隔てた部分の曲率半径ｒ１を、パネルポスト１３の拡散板１１から距離ｄ１よりも小さい距離ｄ２を隔てた部分の曲率半径ｒ２よりも大きくすることによって、パネルポスト１３を、パネルポスト１３と拡散板１１との間の距離ｂに対応させて、凸レンズ部１４の焦点Ｆがパネルポスト１３と拡散板１１との間に適切に位置するように構成することができる。
【００７２】
また、第１実施形態では、上記のように、パネルポスト１３を、凸レンズ部１４の焦点Ｆが、パネルポスト１３と拡散板１１との中間Ｃよりもパネルポスト１３側に位置するように構成する。これにより、パネルポスト１３に入光した光を、凸レンズ部１４の幅Ｗよりも大きな幅Ｗｅで、拡散板１１に照射することができる。これにより、点光源２から広がるように照射された光が、パネルポスト１３および拡散板１１に照射される場合にも、点光源２からの光がパネルポスト１３に照射されることに起因する影が生じる部分に、より確実に光を照射することができる。
【００７３】
また、第１実施形態では、上記のように、パネルポスト１３を、複数の点光源２のうちの最もパネルポスト１３の近くに配置されている点光源２である最近接点光源２ａおよび２ｂに、凸レンズ部１４の表面１６ａおよび１６ｂが対向するように配置する。ここで、複数の点光源２がある場合には、複数の点光源２のうちの最近接点光源２ａおよび２ｂからの光がパネルポスト１３に照射されることに起因する影が最も視認されやすい。この点を考慮して、第１実施形態では、最近接点光源２ａおよび２ｂに、凸レンズ部１４の表面１６ａおよび１６ｂが対向するように、パネルポスト１３を配置することにより、最近接点光源２ａおよび２ｂからの光がパネルポスト１３に照射されることに起因する影が生じる拡散板１１上の部分に光を照射することができる。その結果、点光源２からの光がパネルポスト１３に照射されることに起因する影が、表示部１上で視認されるのをより抑制することができる。
【００７４】
また、第１実施形態では、上記のように、凸レンズ部１４を、パネルポスト１３の部分のうちの最近接点光源２ａおよび２ｂから出射される光が所定強度以上となるパネルポスト１３の領域に設ける。これにより、パネルポスト１３の部分のうちの光が照射される強度が最も大きくなる部分である最近接点光源２ａおよび２ｂの配光角φに対応する領域Ｒ１およびＲ２を、凸レンズ形状に構成することができるので、より効果的に、点光源２からの光がパネルポスト１３に照射されることに起因する影が、表示部１上で視認されるのを抑制することができる。
【００７５】
[第２実施形態]
次に、図１５を参照して、第２実施形態による液晶テレビジョン装置２００の構成について説明する。第２実施形態では、第１実施形態による液晶テレビジョン装置１００の構成に加えて、液晶テレビジョン装置２００のパネルポスト２１３には、凸レンズ部１４とは別個に、頂部２０１が設けられている。なお、液晶テレビジョン装置２００は、本発明の「表示装置」の一例である。
【００７６】
（第２実施形態による表示装置の構成）
図１５に示すように、第２実施形態による液晶テレビジョン装置２００は、パネルポスト２１３を含む。なお、パネルポスト２１３は、本発明の「接触部材」の一例である。
【００７７】
ここで、第２実施形態では、パネルポスト２１３は、パネルポスト２１３の拡散板１１との接触部分に設けられ（接触部分である半球形状部２０１ｂを含み）、パネルポスト２１３と接触する拡散板１１に対して略垂直方向（Ｙ軸に平行な方向）に延びる円柱形状を有する頂部２０１を含む。言い換えると、パネルポスト２１３は、パネルポスト２１３の拡散板１１側（矢印Ｙ１方向側）に設けられ、拡散板１１が広がる平面（Ｘ方向およびＺ方向）に対して略垂直方向（Ｙ方向）に延びる円柱形状を有する頂部２０１を含む。
【００７８】
頂部２０１は、点光源２からの光を透過する材料により形成されており、柱状部２０１ａと半球形状部２０１ｂとを含む。柱状部２０１ａは、直径Ｄ１を有するとともに、Ｙ方向に長さＬ１を有する円柱形状に形成されており、凸レンズ部１４の矢印Ｙ１方向側に接続されている。また、直径Ｄ１の大きさは、凸レンズ部１４の厚みｔ１と略等しい大きさである。なお、Ｙ方向に沿った長さである長さＬ１の大きさは、半球形状部２０１ｂの頂点（矢印Ｙ１方向側の点）から、最近接点光源２の配光角φに対応する領域Ｒ１までのＹ方向に沿った距離である距離Ｄ２の大きさよりも小さいのが好ましい。
【００７９】
半球形状部２０１ｂは、柱状部２０１ａの矢印Ｙ１方向側に設けられ、矢印Ｙ１方向側に円弧を有するとともに直径Ｄ１を有する略半球形状に形成されている。そして、半球形状部２０１ｂは、拡散板１１に点接触するように配置されている。
【００８０】
また、第２実施形態による液晶テレビジョン装置２００のパネルポスト２１３の凸レンズ部１４は、第１実施形態による液晶テレビジョン装置１００のパネルポスト１３の凸レンズ部１４と同様に、焦点Ｆが、パネルポスト２１３と拡散板１１との間に位置するように構成されており、拡散板１１上で影が生じるのを抑制するように構成されている。
【００８１】
また、第２実施形態による液晶テレビジョン装置２００のその他の構成は、第１実施形態における液晶テレビジョン装置１００と同様である。
【００８２】
[第２実施形態の効果]
第２実施形態では、以下のような効果を得ることができる。
【００８３】
第２実施形態では、上記のように、パネルポスト２１３は、パネルポスト２１３との拡散板１１との接触部分に設けられ、パネルポスト２１３と接触する拡散板１１に対して略垂直方向（Ｙ軸に平行な方向）に延びる円柱形状を有する頂部２０１を含む。ここで、パネルポスト２１３との拡散板１１との接触部分の近傍では、拡散板１１上で影が比較的生じやすい。この点に対して、第２実施形態では、パネルポスト２１３の拡散板１１との接触部分に、円柱形状を有する頂部２０１を設ける分、凸レンズ部１４と拡散板１１との距離（長さＬ１分）が大きくなるので、点光源２からの光が凸レンズ部１４に照射されることに起因する影が生じるのを抑制することができる。
【００８４】
また、第２実施形態による液晶テレビジョン装置２００のその他の効果は、第１実施形態における液晶テレビジョン装置１００と同様である。
【００８５】
[第３実施形態]
次に、図１６を参照して、第３実施形態による液晶テレビジョン装置３００の構成について説明する。第１実施形態による液晶テレビジョン装置１００の構成に加えて、液晶テレビジョン装置３００のパネルポスト３１３には、凸レンズ部１４とは別個に、頂部３０１が設けられており、頂部３０１の表面３０２ａおよび表面３０２ｂには、点光源２からの光を拡散する拡散部３０３ａおよび３０３ｂが設けられている。なお、液晶テレビジョン装置３００は、本発明の「表示装置」の一例である。
【００８６】
（第３実施形態による表示装置の構成）
図１６に示すように、第３実施形態による液晶テレビジョン装置３００は、パネルポスト３１３を含む。なお、パネルポスト３１３は、本発明の「接触部材」の一例である。
【００８７】
パネルポスト３１３は、パネルポスト３１３の拡散板１１側（矢印Ｙ１方向側）に設けられ、拡散板１１が広がる平面（Ｘ方向およびＺ方向）に対して略垂直方向（Ｙ方向）に延びる円柱形状を有する頂部３０１を含む。
【００８８】
頂部３０１は、柱状部３０１ａと半球形状部３０１ｂとを含む。柱状部３０１ａは、第２実施形態による柱状部２０１ａと同様の形状を有するとともに、柱状部３０１ａの表面３０２ａに拡散部３０３ａを有する。また、半球形状部３０１ｂは、第２実施形態による半球形状部３０１ｂと同様の形状を有するとともに、半球形状部３０１ｂの表面３０２ｂに拡散部３０３ｂを有する。なお、半球形状部３０１ｂは、本発明の「接触部分」の一例である。
【００８９】
拡散部３０３ａおよび３０３ｂは、シボ加工が施されており、点光源２からの光を拡散するように構成されている。
【００９０】
また、第３実施形態による液晶テレビジョン装置３００のパネルポスト３１３の凸レンズ部１４は、第１実施形態による液晶テレビジョン装置１００のパネルポスト１３の凸レンズ部１４と同様に、焦点Ｆが、パネルポスト３１３と拡散板１１との間に位置するように構成されており、拡散板１１上で影が生じるのを抑制するように構成されている。
【００９１】
また、第３実施形態による液晶テレビジョン装置３００のその他の構成は、第１実施形態における液晶テレビジョン装置１００と同様である。
【００９２】
[第３実施形態の効果]
第３実施形態では、以下のような効果を得ることができる。
【００９３】
第３実施形態では、上記のように、頂部３０１の表面３０２ａおよび３０２ｂに、点光源２からの光を拡散する拡散部３０３ａおよび３０３ｂを設ける。これにより、パネルポスト３１３の頂部３０１近傍で、点光源２からの光を拡散することができるので、パネルポスト３１３の頂部３０１近傍の拡散板１１上および表示部１上で生じる影が生じるのを抑制することができる。
【００９４】
また、第３実施形態による液晶テレビジョン装置３００のその他の効果は、第１実施形態における液晶テレビジョン装置１００と同様である。
【００９５】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９６】
たとえば、上記第１〜第３実施形態では、表示装置として、液晶テレビジョン装置を用いる例を示したが、本発明はこれに限らない。たとえば、表示装置として液晶テレビジョン装置以外を用いてもよい。たとえば、ＰＣ（Ｐｅｒｓｏｎａｌ  Ｃｏｍｐｕｔｅｒ）用の表示装置などの一般的な表示装置に用いてもよい。
【００９７】
また、上記第１〜第３実施形態では、凸レンズ部の曲率半径を、拡散板とは反対側から拡散板側に向かって、徐々に小さくなるように構成する例を示したが、本発明はこれに限られない。たとえば、凸レンズ部の曲率半径を一定の値として構成してもよい。
【００９８】
また、上記第１〜第３実施形態では、凸レンズ部の焦点が、パネルポストと拡散板との中間よりもパネルポスト側に位置するように構成する例を示したが、本発明はこれに限られない。たとえば、凸レンズ部の焦点が、パネルポストと拡散板との中間の位置または中間よりも拡散板側に位置するように構成してもよい。
【００９９】
また、上記第１〜第３実施形態では、凸レンズ部を、最近接点光源の配光角に対応する領域全てを含むように構成する例を示したが、本発明はこれに限られない。たとえば、凸レンズ部を、最近接点光源の配光角に対応する領域の一部を含むように構成してもよい。
【０１００】
また、上記第２実施形態では、頂部に柱状部および半球形状部を設ける例を示したが、本発明はこれに限られない。たとえば、頂部を柱状部のみ設けるように構成してもよい。
【０１０１】
また、上記第３実施形態では、拡散部を、頂部の表面にシボ加工を施すことにより構成する例を示したが、本発明はこれに限られない。たとえば、拡散部を、頂部の表面に光を拡散または反射可能な塗料を塗布することにより構成してもよい。
【０１０２】
また、上記第１〜第３実施形態では、凸レンズ部を、両側に凸形状を有するように構成する例を示したが、本発明はこれに限られない。たとえば、凸レンズ部を、片側に凸形状を有するように構成してもよい。
【符号の説明】
【０１０３】
１  表示部
１ａ  面（第１面）
２  点光源（光源）
２ａ、２ｂ  最近接点光源（光源）
９  光源レンズ（光源）
１１  拡散板（光学部材）
１２  偏光フィルム（光学部材）
１３、２１３、３１３  パネルポスト（接触部材）
１４  凸レンズ部（接触部材の凸レンズ形状の部分）
１９ａ  一方上部表面（凸レンズ形状の部分の表面）
１９ｂ  他方上部表面（凸レンズ形状の部分の表面）
２０ａ  一方下部表面（凸レンズ形状の部分の表面）
２０ｂ  他方下部表面（凸レンズ形状の部分の表面）
１００、２００、３００  液晶テレビジョン装置（表示装置）
２０１、３０１  頂部
２０１ｂ、３０１ｂ  半球形状部  （接触部分）
３０２ａ、３０２ｂ  表面（頂部の表面）
３０３ａ、３０３ｂ  拡散部
【図１】
2017083532.tif 000003
【図２】
2017083532.tif 000004
【図３】
2017083532.tif 000005
【図４】
2017083532.tif 000006
【図５】
2017083532.tif 000007
【図６】
2017083532.tif 000008
【図７】
2017083532.tif 000009
【図８】
2017083532.tif 000010
【図９】
2017083532.tif 000011
【図１０】
2017083532.tif 000012
【図１１】
2017083532.tif 000013
【図１２】
2017083532.tif 000014
【図１３】
2017083532.tif 000015
【図１４】
2017083532.tif 000016
【図１５】
2017083532.tif 000017
【図１６】
2017083532.tif 000018